(57)【要約】【課題】光変調素子から光源への戻り光に応じた光源の冷却を可能にした投射型画像表示装置を提供すること。【解決手段】光源と、光変調素子と、光源を冷却する冷却部と、外部から画像信号を入力する画像信号入力部と、画像信号入力部から入力された画像信号及びまたは自身が保持している画像信号を光変調素子に合わせた画像信号に変換して光変調素子に出力する画像処理部と、光変調素子から光源への戻り光のレベルを算出する戻り光算出部と、冷却部の出力を設定する冷却設定部を備え、光源への戻り光のレベルに応じて冷却設定部が冷却の出力を変化させることを特徴とする。【選択図】図１
2017173469.tif 000002
【特許請求の範囲】
【請求項１】
光源と、光変調素子と、光源を冷却する冷却部と、外部から画像信号を入力する画像信号入力部と、画像信号入力部から入力された画像信号及びまたは自身が保持している画像信号を光変調素子に合わせた画像信号に変換して光変調素子に出力する画像処理部と、光変調素子から光源への戻り光のレベルを算出する戻り光算出部と、冷却部の出力を設定する冷却設定部を備え、
光源への戻り光のレベルに応じて冷却設定部が冷却の出力を変化させることを特徴とする投射型画像表示装置。
【請求項２】
光変調素子に印加される電圧を検出する光変調素子印加電圧検出部を備え、戻り光算出部は光変調素子印加電圧検出部で検出した光変調素子への印加電圧から光変調素子の光源からの光の反射率を解析して光源への戻り光のレベルを算出することを特徴とする請求項１に記載の投射型画像表示装置。
【請求項３】
戻り光算出部は外部から入力される画像信号から光変調素子の光源からの光の反射率を解析して光源への戻り光のレベルを算出することを特徴とする請求項１又は請求項２に記載の投射型画像表示装置。
【請求項４】
戻り光算出部は画像処理部から光変調素子へ出力される画像信号から光変調素子の光源からの光の反射率を解析して光源への戻り光のレベルを算出することを特徴とする請求項１又は請求項２に記載の投射型画像表示装置。
【発明の詳細な説明】
【技術分野】
【０００１】
本発明は、投射型画像表示装置の冷却に関し、特に光変調素子と光源に関する。
【背景技術】
【０００２】
投射型画像表示装置は一般的に光源と光変調素子を含む光学素子を使用して画像の表示を行っている。これらの部品は一般的に画像表示時に高温になるので冷却が必要になる場合がある。
【０００３】
従来、これらの部品の冷却は一定出力で行うか、外気温や投射型画像表示装置の筺体内部温度、部品自体の温度を基に冷却の出力を変化させて対応していた。
【０００４】
しかしながら、一定出力での冷却方法では投射型画像表示装置の動作状態によっては無駄な冷却を行っている場合があり、また温度監視による冷却方法では別途温度センサが必要になりコストアップしてしまう問題があった。
【０００５】
上記の冷却を最適化するために、特許文献１、２、３のような手段が取られていた。特許文献１は、光変調素子への光量の変化に応じた光変調素子の冷却を行う手段である。特許文献２は、光源と光変調素子間の光量絞り機構の状態に応じて光変調素子の冷却を変化させる手段である。特許文献３は光源と光変調素子間の光量絞り機構の状態に応じて光源の冷却を変化させる手段である。
【先行技術文献】
【特許文献】
【０００６】
【特許文献１】特開２０１１−１５０２２２号公報
【特許文献２】特開２０１０−５４７６６号公報
【特許文献３】特願２００７−５５３４０４号公報
【発明の概要】
【発明が解決しようとする課題】
【０００７】
しかしながら、これらは光変調素子への光量や光量絞り機構の変化に応じて冷却を変化させる手法ではあるが、光変調素子から光源への戻り光に応じた光源の冷却については考慮されていなかった。光源から光変調素子へ光量が一定であっても、光変調素子は自身への印加電圧や入力画像信号に応じて状態が変化すると、共に光変調素子から光源への戻り光の量も変化してしまう特性がある。これにより光変調素子から光源への戻り光の量によって光源の温度が変化してしまうことから、光変調素子の状態に応じた光源の冷却が必要になる。
【０００８】
そこで、本発明の目的は、光変調素子から光源への戻り光に応じた光源の冷却を可能にした投射型画像表示装置を提供することにある。
【課題を解決するための手段】
【０００９】
上記の目的を達成するために、本発明に係る投射型画像表示装置は、
光源と、光変調素子と、光源を冷却する冷却部と、外部から画像信号を入力する画像信号入力部と、画像信号入力部から入力された画像信号及びまたは自身が保持している画像信号を光変調素子に合わせた画像信号に変換して光変調素子に出力する画像処理部と、光変調素子から光源への戻り光のレベルを算出する戻り光算出部と、冷却部の出力を設定する冷却設定部を備え、光源への戻り光のレベルに応じて冷却設定部が冷却の出力を変化させることを特徴とする。
【発明の効果】
【００１０】
本発明によれば、光変調素子から光源への戻り光に応じた光源の冷却を可能にした投射型画像表示装置を提供することができる。
【図面の簡単な説明】
【００１１】
【図１】プロジェクタの構成図
【図２】プロジェクタの動作フロー
【発明を実施するための形態】
【００１２】
以下に、本発明の好ましい実施の形態を、添付の図面に基づいて詳細に説明する。
【実施例１】
【００１３】
以下、図１を参照して、本発明の第１の実施例について説明する。
【００１４】
図１は本発明の一実施例に係るプロジェクタ（投射型画像表示装置）の構成を示している。
【００１５】
図１のプロジェクタ１は、光源１０と、光変調素子１１と、光源１０を冷却する冷却部１２と、外部から画像信号を入力する画像信号入力部１４と、画像信号入力部１４から入力された画像信号及びまたは自身が保持している画像信号を光変調素子１１に合わせた画像信号に変換して光変調素子１１に出力する画像処理部１４と、光変調素子１１から光源１０への戻り光のレベルを算出する戻り光算出部１５と、冷却部１２の出力を設定する冷却設定部１６と、電源部１７と、光源駆動部１８と、画像形成部１９と、各部の制御を行う制御部２０と、光変調素子１１に印加される電圧を検出する光変調素子印加電圧検出部２１を備えている。
【００１６】
このプロジェクタ１の動作フローを図２に示す。
【００１７】
プロジェクタ１がユーザから画像投射指令を受けると、本実施例の動作フローが開始される。
【００１８】
初めにステップ１０１では、制御部２０が冷却部１２を起動し、光源１０の冷却を開始する。この時冷却設定部１６は冷却部１２に対し起動時の冷却設定を行いステップ１０２へ移行する。
【００１９】
ステップ１０２では、制御部２０が光源１０駆動部に光源点灯指令を出し、光源１０を点灯させてステップ１０３へ移行する。
【００２０】
ステップ１０３では、戻り光算出部１５は光変調素子１１から光源１０への戻り光のレベルの算出を行いステップ１０４へ移行する。
【００２１】
ステップ１０４では、冷却設定部１６は冷却部１２に対しステップ１０３で算出された光変調素子１１から光源１０への戻り光のレベル応じた冷却設定を行いステップ１０５へ移行する。
【００２２】
ステップ１０５では、制御部２０がユーザから光源消灯指示が来ているか確認を行い、光源消灯指示が来ていない場合はステップ１０６へ、光源消灯指示が来ている場合はステップ１０７へ移行する。
【００２３】
ステップ１０６では、制御部２０は画像処理部１４に投射する表示画像に変化があったかを確認し、変化があった場合はステップ１０３へ、変化がない場合はステップ１０５へ移行する。ステップ１０７では、制御部２０が光源１０の消灯処理を行い終了する。
【００２４】
さらに、本実施例の戻り光算出部１５による光変調素子１１から光源１０への戻り光のレベルの算出は以下の３つの方法で行うことも可能である。
【００２５】
第１の方法は、戻り光算出部１５は光変調素子印加電圧検出部２１より検出された光変調素子１１への印加電圧を基に光変調素子１１の光源１０からの光の反射率を算出する。この光変調素子１１の反射率より光変調素子１１から光源１０への戻り光のレベルを算出する。
【００２６】
第２の方法は、戻り光算出部１５は画像信号入力部１４から入力される画像信号を解析し、この入力画像が表示された時の光変調素子１１の光源１０からの光の反射率を算出する。この光変調素子１１の反射率より光変調素子１１から光源１０への戻り光のレベルを算出する。
【００２７】
第３の方法は、戻り光算出部１５は画像処理部１４から光変調素子１１へ出力される画像信号を解析し、この入力画像が表示された時の光変調素子１１の光源１０からの光の反射率を算出し、この光変調素子１１の反射率より光変調素子１１から光源１０への戻り光のレベルを算出する。
【００２８】
上記戻り光算出方法は、それぞれ組み合わせて行うことも可能である。
【００２９】
以上、本発明の好ましい実施形態について説明したが、本発明はこれらの実施形態に限定されず、その要旨の範囲内で種々の変形及び変更が可能である。
【符号の説明】
【００３０】
１０  光源、１１  光変調素子、１２  冷却部、１３  画像信号入力部、
１４  画像処理部、１５  戻り光算出部、１６  冷却設定部、１７  電源部、
１８  光源駆動部、１９  画像形成部、２０  制御部、２１  光変調素子印加電圧検出部
【図１】
2017173469.tif 000003
【図２】
2017173469.tif 000004